(57)【要約】  本発明は、流体流に対する制限ポイントを有さないようにするために、解剖学および括約筋の作動上の機構に従うフォーマットを有する、流れおよび圧力解放の制御のための膜バルブの新しいコンセプトに関する。本発明に係るバルブは、端部（５、６）が設けられたターミナルセクション（３、４）が設けられた本体（２）と、内部に、直接的または間接的に、局所的または遠位で、流れおよび／または内部に適用される圧力に従って開閉する折りたたまれた膜（７）と、を備えている。【選択図】図１Ｄ
2018501862.tif 000002
【特許請求の範囲】
【請求項１】
流れおよび圧力解放の制御のための膜バルブであって、設置の際に使用される接続のための端部（５、６）が設けられるとともに、直径がより大きなターミナルセクション（３、４）が設けられた、略円形状の本体（２）を備え、前記膜バルブ（１）が、内部に、直接または間接的に、局所的または遠位で、流れおよび／または内部に印加される圧力に従って開閉する折りたたまれた膜（７）を備え、前記膜（７）が、流れラインセグメントのような内側エンクロージャ（８）と、前記膜（７）と前記本体（２）の内壁との間に外側空間を形成する他方のエンクロージャ（９）との、２つの別個のエンクロージャを形成するように組み付けられることを特徴とする、膜バルブ。
【請求項２】
前記エンクロージャ（９）が、バルブの前記本体（２）の内部に、あるタイプのエアチャンバを備えていることを特徴とする、請求項１に記載の流れおよび圧力解放の制御のための膜バルブ。
【請求項３】
前記膜（７）が、前記端部（３、４）に密に結合されているとともに固定されており、前記本体（２）の内部の前記エンクロージャ（８、９）間のいかなる連通をも妨げることを特徴とする、請求項１に記載の流れおよび圧力解放の制御のための膜バルブ。
【請求項４】
前記折りたたみ部が、好ましくは可撓性材料で形成されている構造で設けられた内部の折曲げ部（７ａ、７ｂ、７ｃなど）であることを特徴とする、請求項１に記載の流れおよび圧力解放の制御のための膜バルブ。
【請求項５】
前記折りたたみ部が、少なくとも３つの折りたたみ部または内部の折曲げ部（７ａ、７ｂ、７ｃなど）を特徴とする、請求項４に記載の流れおよび圧力解放の制御のための膜バルブ。
【請求項６】
前記バルブが特に、血液流回路内で使用されることを特徴とする、請求項１に記載の流れおよび圧力解放の制御のための膜バルブ。
【請求項７】
前記バルブ（１）が、前記膜（７）の前記エンクロージャ（８）と軸方向に設けられ、前記エンクロージャ（９）内で直接作用させる外側コネクタまたは制御ドア（１０）を有していることを特徴とする、請求項１に記載の流れおよび圧力解放の制御のための膜バルブ。
【請求項８】
前記エンクロージャ（９）が、その内部に、既知の体積の気体または液体を有し、この気体または液体が、直接または遠位のいずれかから、前記バルブ（１）の開閉を空気圧式または油圧式で可能にする方法で、前記外側コネクタまたは前記制御ドア（１０）に設けられた作動要素により供給または除去されることを特徴とする、請求項７に記載の流れおよび圧力解放の制御のための膜バルブ。
【請求項９】
前記バルブ（１）が、流体流に対する制限ポイントを有さないようにするために、解剖学および括約筋の動作の作動上の機構に従うフォーマットを有することを特徴とする、請求項１に記載の流れおよび圧力解放の制御のための膜バルブ。
【請求項１０】
前記折りたたまれた膜（７）が、使用時に、全体が閉じた位置（ａ）から全体が開いた位置（ｆ）まで任意の位置となる、請求項１に記載の流れおよび圧力解放の制御のための膜バルブ。
【発明の詳細な説明】
【技術分野】
【０００１】
本発明は、流体流に対する制限ポイントを有さないようにするために、解剖学および括約筋の動作の生理学上の機構に従うフォーマットを有する、流れおよび圧力解放の制御のための膜バルブのコンセプトに関する。
【０００２】
バルブは、それによって油圧（または気体）システムが制御され、概して、流れを方向付け、ブロックし、流量または圧力の強さを制御する役割を果たすデバイスである。バルブは、バルブが操作される方式に関して、またはバルブ機能に関して、分類することができる。機能に関して、バルブは、流量制御バルブ、方向制御バルブ、または圧力制御バルブとして分類することができる。
【０００３】
いくつかのタイプの流量コントローラバルブは、ポンプの流量を調整するように機能する。流速は、流量および流れが発生している場所の断面積の関数であることが知られている。このため、流量コントローラバルブにより、流体が通過する断面積を変化させる流量制御が行われる場合がある。
【０００４】
これらバルブは、概して以下のように分類される。
ａ．スロットルまたは制限によって流れを制御する、もっともシンプルなバルブである非補償流れ制御バルブ。穴を通る流れの量と、その内部の飽和のロスとが直接関連しており、それにより、圧力が増大すると、バルブ内の流れが増大するようになっている。
ｂ．補償流れ制御バルブ。これらバルブは、回路内の圧力の変化に関係なく流量の値を維持し、また、非補償ユニットと同様に、流量を調整するための穴（またはスロットル）を有している。制御は自動か手動とすることができ、遠位にあるか局所的である。制御バルブは、制御信号に応じて流体の内部通路を開閉する。コントローラから制御信号が来ると、バルブの自動制御が実行される。制御信号が、手動制御ステーションにより、プロセスオペレータによって手動で生成されると、遠位の手動制御が実行される。また、制御は継続して行われるか、オンオフされ得る。継続またはアナログモードでは、バルブは、完全に閉じた位置と完全に開いた位置との間の、段階的ではない、非限定的位置にあるものと推定され得る。デジタルまたは「オンオフ」モードでは、バルブは、完全に閉じた位置又は完全に開いた位置のいずれかの２つの別個の位置にのみ来る。そのような制御は、手動キーによって実行され得る。キーは、圧力（圧力スイッチ）コントローラ、温度（サーモスタット）コントローラ、レベルコントローラ、流量コントローラ、またはよりシンプルなコントローラによって制御される。バルブアクチュエータに到着した制御信号は、空気圧式であるか、電子式である場合がある。
【背景技術】
【０００５】
空気圧式アクチュエータを含む制御バルブは、流れメッシュの過半数の最終的な制御要素である。ますます強く、広範囲にわたる電気的な器具の使用を伴っても、空気圧式アクチュエータを有するバルブが依然として、もっとも適用される、電気アクチュエータを有するバルブよりシンプルで、より信頼性があり、経済的で有効な最終的な要素である（Ｒｉｂｅｉｒｏ、１９９９）。
【０００６】
圧力制御バルブは、機能として、システムの過度の圧力を解放しなければならないデバイスであり、高圧下の液体または気体を移送または貯蔵するいずれかのパイプである。安全バルブを設置する目的は、システムを損傷させるリスク、爆発のリスクおよび生命の危険がある過度の圧力の影響からシステムを保護することである。この保護は、バルブが、システムの圧力を一定の安全レベルまで低減するのに十分な一定の流量を放出することができる場合に生じる。
【０００７】
このデバイスは、非常に広範囲で産業上一般的に適用されるデバイスであるが、血流の制御の用途のために特に設計されたモデル、すなわち、それら血流の特性を維持し、血流を侵襲しないモデルは、市場に存在しない。
【０００８】
体外循環（ＣＥＣ）に使用されるいくつかのアドバイザリデバイスには、この保護機能を有する構成要素が必要である。ＣＥＣでは、血液は、毎分５リットルより多くの流れでポンプされる。これらの流れは、３００ｍｍＨｇを超え得る高圧を生じ、これにより、血液濃縮器および血液フィルタなどのデバイスに損傷を与えるリスクを生じる。血液濃縮器は、血液を除去する機能を有する、ＣＥＣに使用されるデバイスであり、微細な厚みの壁を有する中空の微小孔ファイバの束で形成されている。たとえば、ポリスルホンファイバは、３０μｍの厚みを有し、圧力許容範囲が低い。圧力許容範囲の閾値を超えると、ファイバが破裂し、その内部の血液が漏出する場合がある。
【０００９】
このため、血液濃縮器を保護することができ、同時に、血液から示される血液要素に対して侵襲性のない、とりわけＣＥＣ用途のためのバルブモデルを設計するために、本発明の対象である流れおよび圧力解放の制御のための膜バルブを開発した。
【図面の簡単な説明】
【００１０】
【図１】図１は、流れおよび圧力解放の制御のための膜バルブを示す図である。
【図２】図２は、膜バルブを示す図である。
【図３】図３は、膜バルブを示す図である。
【図４】図４は、両方向性逆流バルブを示す図である。
【図５】図５は、両方向性逆流バルブを示す図である。
【図６】図６は、両方向性逆流バルブの他の一例を示す図である。
【図７】図７は、調整可能な解放バルブを示す図である。
【図８】図８は、流量制御バルブを示す図である。
【図９】図９は、流量制御バルブを示す図である。
【図１０】図１０は、流量比コントローラバルブを示す図である。
【図１１】図１１は、真空制限バルブを示す図である。
【図１２】図１２は、フラスコのための自己シーリング蓋を示す図である。
【図１３】図１３は、Ｓパイプを示す図である。
【発明を実施するための形態】
【００１１】
本発明に係る、流れおよび圧力解放の制御のための膜バルブは、括約筋、特に、消化管のもっとも重要な括約筋のうちの１つである幽門弁に類似の内部フォーマットを有する。
【００１２】
括約筋は、ポット、チャネル、またはチューブのセグメント内の所定の穴の大きさの度合いと、流入流または流出流とを制御する役割を果たす、リング状に配置された、同心円状繊維の筋肉構造によって形成された、動物の解剖学上の構成要素である。人体には、少なくとも４３の別個の括約筋が存在し、血液の微小循環の前毛細血管括約筋など、それらのうちのいくつかは、微細サイズである。前毛細血管括約筋は、毛細管網目構造によって液体が注がれる組織の必要に応じて、毛細管網目構造内の血流を制御する働きをする。
【００１３】
以下に示される記載は、添付の概略図に関するものである。添付の概略図は、本発明の範囲、および、本発明の対象であるバルブの範囲を限定する役割はない。これらの図のうちのいくつかでは、特定の要素は、その構造、ならびに、前述のバルブが適用され得、様々な機能を実行する回路およびデバイスの例を簡略化し、理解を明確にするために、番号で識別されない。
【００１４】
このため、図１（Ａ）から図１（Ｆ）によれば、本発明の対象である流れおよび圧力解放の制御のための膜バルブ（１）は、略円形状の本体（２）を備えている。この本体（２）には、油圧回路または血液回路、および、他のデバイスなどの、設置の際に使用される、接続のため端部（５、６）が設けられた、直径がより大きなターミナルセクション（３、４）が設けられている。これらの図では、前述のバルブ（１）は、内部に、折りたたまれた膜（７）を備えている。すなわち、概して可撓性の材料で形成された内部の折曲げ部（７ａ、７ｂ、７ｃなど）が設けられていることに留意されたい。通常、本発明に係る、流れおよび圧力解放の制御のための膜バルブは、少なくとも３つの折りたたみ部または内部の折曲げ部（７ａ、７ｂ、７ｃ）を備えているが、特定の使用のためのプロジェクトに応じて、４つ以上の折りたたみ部を有してもよい。
【００１５】
こうして構成されることにより、前述の折りたたまれた膜（７）は、流れラインセグメントのような、前述の折りたたまれた膜（３）に対する一方の内側のエンクロージャ（８）と、前述の膜（７）と本体（２）の内壁との間に別の空間を形成し、１つのタイプのエアチャンバを構成する他方のエンクロージャ（９）との、２つの別個のエンクロージャを形成するために、バルブ本体（１）の内側に組み付けられている。前述の膜（７）は、本体（２）内のエンクロージャ（８、９）間のいかなる連通をも妨げるために、端部（３、４）に密に結合されているとともに固定されていることに留意されたい。
【００１６】
図２は、本発明に係るバルブ（１）を示しており、前述のエンクロージャ（９）内に直接作用するための外側のコネクタまたは制御ドア（１０）が、膜（７）のエンクロージャ（８）と軸方向に設けられる点で変化している。前述のエンクロージャ（９）には、その内部に、既知の体積の気体または液体がフィットしており、この気体または液体は、直接または遠位のいずれかから、バルブ（１）の開閉を空気圧式または油圧式で制御することを可能にするために、前述の制御ドア（１０）に設けられた作動要素（図示せず）によって供給または除去される。矢印は、制御されるべき対象の流体の流路、および、図示のエンクロージャ（９）の内容物に対して作用する形態を示している。
【００１７】
図示のように、本発明の対象である流れおよび圧力解放の制御のための膜バルブ（１）は、解剖学上のフォーマットを有しており、解剖学および前毛細血管括約筋の作動上の機構に習っており、これにより、前毛細血管括約筋によって適用される侵襲の度合いよりも大きい侵襲を生じることなく、同じ機能で作用することが可能になる。したがって、生体適合性材料で形成される場合、血液回路内で使用され得る。
【００１８】
本発明の対象である流れおよび圧力解放の制御のための膜バルブ（１）は、流れに対する制限ポイントを有していない。さらに、膜（７）が可撓性の材料で形成されていることから、なんらかの粒子、または固形材料が内部を通過する場合、そのフォーマットにおいて、調整が可能である。この可能性は、図３の例示によって試験することができる。図３は、全体が閉じた状態（ａ）から、全体が開いた状態（ｆ）まで開く膜（７）の構成を連続して示している。
【００１９】
図３に説明され、解放バルブとして作用する構成をベースとして考慮すると、正常に閉じられる（ａ）ように、所定の圧力までゆるやかに加圧されると、圧力が流れライン内で規定の圧力を超える場合、ある位置でバルブが開き（ｂ〜ｆ）、そのラインにおける圧力の正常化のための体積の排出を可能にする。エンクロージャ（９）内の圧力は、流入ライン内の流れまたは圧力に応じて増大する。これにより、本発明に係る膜バルブ（１）を可変抵抗として作動させ、流れおよび圧力を低減させる。この能力は、ライン内の流れを制限するために、または、１つのラインにおける流れおよび圧力を自動調製のために使用され得る。流れが少なく、抵抗が高いと、このため、ライン内の圧力を増大させる。しかし、流れが増大すると、圧力も増大し、バルブを開く。このため、ライン内の抵抗および圧力が低減する。
【００２０】
本発明の対象である流れおよび圧力解放の制御のための膜バルブのいくつかの用途および使用のうちのいくつかを以下に記載するが、その範囲および発明的範囲を制限する意図はない。
【００２１】
チューブセグメント：
本発明の対象である流れおよび圧力解放の制御のための膜バルブの他の機能は、図３（ｆ）に示すような、全体が開いた際に生じる。この場合、膜バルブ（１）は、流入コネクタ（５、６）と同じ直径で、チューブセグメントとして作用し、膜バルブ（１）内を自在に流れることを可能にしている。それに起因して、本発明に係るバルブは、懸濁した粒子を含む、粘性のペースト状の液体を含む、概して気体および液体の流れを制御するために使用され得る。特に、血液細胞によって課される要件をバルブが満たすと、血液の流れの制御の用途に使用され得る。
【００２２】
両方向性逆流バルブ：
本発明の対象である膜バルブ（１）は、主回路と並列な回路に組み付けられた場合、流出圧力によって制御される可能性がある。バルブの機能試験の間、制御ドア（１０）が大気圧に関して開いたままにされる場合、バルブは、両方向性逆流バルブとして機能することがわかった。すなわち、バルブは、各側（５、６）の一方において正圧（Ｐ＋）が生じた場合、両方の方向に開き、各側（５、６）の一方において負圧（Ｐ−）が生じた場合、閉じる。この可能性は、図４および図５によって概略的に示されている。バルブは、負圧（Ｐ−）と正圧（Ｐ＋）とで異なり得ることに留意されたい。また、この条件では、バルブは圧力勾配では機能しないが、絶対圧力で機能する。たとえば、正圧（Ｐ＋）が一方側に適用され、負圧（Ｐ−）が他方側に適用された場合、正圧（Ｐ＋）の絶対値（モジュール）が負圧（Ｐ−）の値より高い場合にのみ、流れが生じることになる。そうでなければ、流れは生じない。したがって、記載の機能においては、バルブは、制御ドア（１０）が空気に対して開いている場合によりよい性能を有することになる。
【００２３】
別のやりかたでは、図６に示すように、流入コネクタ（６）が制御ドアまたはコネクタ（１０）に接続されている場合、正圧（Ｐ＋）をバルブ流入部（６）に適用すると、バルブは閉じる。負圧（Ｐ−）をバルブ流入部（６）に適用すると、バルブが開き、矢印で示されているように、通流を可能にする。たとえば、圧力Ｐ１を制御ドア（１０）に適用する場合、バルブ開圧力が規定される。この条件では、圧力Ｐ１より大である圧力Ｐ２がバルブ流入部（６）に適用される場合、バルブは開くことになる。Ｐ２＜Ｐ１である場合、バルブは閉じたままである。
【００２４】
調整可能な解放バルブ：
本発明の対象である流れおよび圧力解放の制御のための膜バルブ（１）は、調整可能な解放バルブとして使用され得るが、この理由は、常に、バルブの流入部における圧力が、制御ドア（１０）に適用される圧力を発揮し、バルブが開くことになり、圧力を除去するためである。この機能により、図７に示すように、バルブを、調整可能な解放バルブとすることができる。
【００２５】
流量制御バルブ：
正圧（Ｐ＋）または負圧（Ｐ−）を制御ドア（１０）内で適用する場合、バルブは開閉し得、それにより、バルブによって流量を遮るか制御するようになっている。この制御により、これを含め、空気もしくは流体により、または、図８に示されているように、バルブ（１）に直接結合したアクチュエータにより、離れた位置から行われ得る。この可能性により、流量制御バルブの機能が構成される。
【００２６】
流量制限バルブ：
制御ドア（１０）が閉じ、それにより、エンクロージャ（９）内に空気が留まったままである場合、バルブを通る流れが増大するにつれて、圧力によってバルブが開き、エンクロージャ（９）内の空気を圧縮する。このため、エンクロージャ（９）内の圧力が増大する限り、バルブを開くことがより困難になる。これにより、バルブを通る流れが、バルブ全体が開いている場合に通る流れの値より低い値に低減される。最大流れが設定され得、エンクロージャ（９）内の空気の体積を変更するが、コンプレッサの関係ではないことから、内向的ではない。すなわち、最大バルブ開圧力が変化する。
【００２７】
この構成では、本発明のバルブは、可変抵抗としても作動し、圧力が増大するにつれて低下するが、この理由は、流れライン内が低圧であることから、バルブがほぼ閉じているためである。ライン内の圧力が増大すると、圧力に比例してバルブが開き、より多くの流れの通過を許容する。こうして、バルブの機能は、理想気体の以下の等式によってガイドされる。
Ｐ１．Ｖ１＝Ｐ２．Ｖ２
ここで、
Ｐ１＝大気圧、
Ｖ１＝大気圧における、エアチャンバ内の最初の体積、
Ｐ２＝空気の圧縮の後の、最終的な圧力、
Ｖ２＝空気の圧縮の後の、最終的な体積である。
【００２８】
一例では、本発明に係るバルブの試験の実施形態では、
Ｐ１＝７６０ｍｍＨｇ、
Ｖ１＝２．４２ｍｌ（閉じたバルブ）、
Ｖ２＝１．５７ｍｌ（全体が開いたバルブ）、
Ｐ２＝（７６０×２．５／０．５）−７６０＝４１１ｍｍＨｇである。
【００２９】
したがって、バルブが完全に開くために、その流入部において約４１１ｍｍＨｇの圧力を適用する必要がある。この条件において、バルブは、流量を制限するものとして構成される。
【００３０】
また、本発明の対象である流れおよび圧力解放の制御のための例示的膜バルブのモデルで実施したテストでは、バルブを通る流れが、エンクロージャ（９）内の圧縮空気の体積に正比例しており、したがって、その内部における圧力に正比例していることがわかった。
【００３１】
油圧回路内の圧力遮断器：
本発明の対象である流れおよび圧力解放の制御のための膜バルブは、圧力遮断器としても採用され得、一般に、油圧回路内の圧力ゲージを使用して、この圧力ゲージが回路内に含まれる液体と接触することなく、圧力を測定するのに使用される。圧力遮断器は、回路から圧力ゲージに、圧力の変化を伝達するが、圧力ゲージを回路と直接接触しないように隔離する。このため、本発明に係るバルブ（１）は、断面積が、ライン内に抵抗を形成しないために、バルブが接続されるチューブの断面積に少なくとも等しくなるように、開口を有していなければならない。膜によって移動する空気の内部体積は、圧力ゲージ読取りシステムの全体の偏差を生じるのに十分でなければならない。たとえば、水銀圧力ゲージで使用する場合、折りたたまれた膜（７）は、ゲージスケール内の水銀の体積に少なくとも等しい体積の空気を移動できなければならない。たとえば、３００ｍｍＨｇのスケールの従来の水銀圧力ゲージを使用するためには、図３（ａ）に示す閉じた位置と、図３（ｆ）に示す全体が開いた位置との間で、２０ｍｌの体積の空気が必要である。このシステムの利点は、現行の圧力遮断器では、膜の両側の一方を液体で満たして、読取りを可能にする必要があるが、このプロセスが遅く、費用がかかることである。本発明のバルブでは、バルブがライン内に組み付けられ、流れがその内側を通過することになるため、両側の一方を液体で満たす必要はない。
【００３２】
バルブのすでに記載した特性に起因して、バルブは、血液回路、特にＣＥＣ回路に適用することができる。この同じ用途の利点のうちの１つは、現行の圧力遮断器が、横方向に、通常は「ルアーロック」の流出部のコネクタ内に設けられ、ここでは、流れは存在せず、したがって、コネクタ自体が、チャンバ内またはチューブ内部への血液の凝固のリスクに曝される。このバルブでは、本発明によれば、血液の凝固のリスクは存在せず、この理由は、血流が、上述のように、生理学的に形成されたバルブを通るためである。
【００３３】
流量比コントローラバルブ：
本発明の対象である流れおよび圧力解放の制御のための膜バルブ（１）は、流量比コントローラバルブとしても作動し得る。バルブが閉じた制御ドア（１０）では、バルブは、図１０に示すように、並列な枝部に設けられたデバイスの抵抗の変化を補償するように作動することになる。この使用のコンセプトでは、ライン内のデバイスの抵抗、流れ、および圧力の変化が独立している、両方の枝部（Ｒ１、Ｒ２）における流量比をほぼ一定に維持することが可能になる。２つの枝部（Ｒ１、Ｒ２）の流入部および流出部が接続されているため、流入部の圧力および流出部の圧力は同じである。このため、並列ラインＲ１内のデバイスの抵抗が低下すると、全体の流れは増大し、流出部の圧力は、流れの増大に起因して増大することになる。結果として、バルブが開くことになり、その枝部Ｒ２の抵抗も低下し、流量比が一定に維持される。並列な枝部Ｒ１におけるデバイスの抵抗が増大する場合、全体の流れは低下する。結果として、流出部の圧力が低下し、バルブが閉じ、その枝部Ｒ２の抵抗を増大させ、したがって、流量比が一定に維持される。
【００３４】
真空制限バルブ：
図１１に示すように、負圧ラインに設けられた場合、本発明に係るバルブは、ライン内の圧力レベルを安定させるように作用する場合がある。この機能において、制御ドア（１０）は、バルブの流入ラインに接続されていなければならない。この方式で、真空が低い負圧にある場合、バルブは閉じたままである。真空圧力が増大すると、バルブが開き、空気を入れることが可能になる。このため、負圧ライン内の空気流は所与の限界内にある。
【００３５】
フラスコのための自己シーリング蓋：
本発明の対象であるバルブは、図１２に示すように、フラスコ（１２）のための自己シーリング蓋（１）としても使用され得る。このため、そのような使用においては、フラスコ（１２）が上向きの位置に維持されている場合、バルブが閉じており、その内容物が空気に触れることが防止される。フラスコ（１２）が上下逆に置かれた場合、または圧縮された場合、バルブ（１）が開き、その内容物が解放される。このことは、ミルク、オリーブオイル、フルーツジュース、アルコール、エーテルなどの、空気と接触すると酸化する液体、または、適切にとどめられていない場合に蒸発する液体を貯蔵するのに非常に有用である場合がある。この使用の別の利点は、フラスコ（１２）を満たすために、蓋、すなわち、バルブ（１）を除去する必要がないことである。単に液体を、バルブ（１）を通して注出し、一度液体が注出されると、バルブ（１）が自動的に閉じる。このため、フラスコが可撓性であるか、パウチのフォーマットを有し、たとえば、コンテナが、パウチが最初は空で、内部に空気が入っていない状態から満たされる場合、充填の最後に、パウチの内部には依然として空気が入っていないことになる。したがって、空気との接触を避けるために、製品を真空下でパックする必要がない。
【００３６】
Ｓパイプ：
本発明のバルブは、図１３に示すように、Ｓパイプシステム（１３）に組み上げられ、非常に興味深い影響を生じる。バルブ（１）の後ろの水柱（Ｌ）は、流入部（Ｙ）において圧力が生じていない場合は、バルブを閉じたままにする負圧を生じる。これにより、空気が流出部（Ｓ）に通過し、臭いが流入部（Ｙ）に通過することが避けられる。さらに、バルブ（１）により、流入部（Ｙ）に存在する液体がその高さより下に吸収されることを防止する。この方法で、Ｓパイプチューブの内側に常に液体（Ｌ）が存在することになり、これにより、バルブの流入部（Ｙ）内に臭いが通過しないことが確実になる。
【００３７】
このシステムは、なんらかのメンテナンスのために、空にした後、または、システムが閉じられた際に、空気が配管に入り込むことを防止するために、住宅のシンクおよび洗面台のＳパイプ、または水タンクのベントに使用され得る。
【００３８】
見られるように、本発明の対象である流れおよび圧力解放の制御のための膜バルブは、上に規定された基本的構造における調整を必要としない、いくつかの状況に適用され得る。このため、当業者であれば、本明細書に記載され、特許請求される範囲内に常にあることになる、上述に加えての他の用途および使用を探すことを知ることになる。
【符号の説明】
【００３９】
１  ・・・膜バルブ
２  ・・・本体
３、４  ・・・ターミナルセクション
５、６  ・・・端部
７  ・・・膜
８、９  ・・・エンクロージャ
【図１】
2018501862.tif 000003
【図２】
2018501862.tif 000004
【図３】
2018501862.tif 000005
【図４】
2018501862.tif 000006
【図５】
2018501862.tif 000007
【図６】
2018501862.tif 000008
【図７】
2018501862.tif 000009
【図８】
2018501862.tif 000010
【図９】
2018501862.tif 000011
【図１０】
2018501862.tif 000012
【図１１】
2018501862.tif 000013
【図１２】
2018501862.tif 000014
【図１３】
2018501862.tif 000015
【国際調査報告】
2018501862.tif 000016
2018501862.tif 000017
2018501862.tif 000018
2018501862.tif 000019